(57)【要約】【課題】本発明の課題は、上述した従来の問題点等に鑑み、ケース本体の損傷も防止するとともに、使用者の好みに合った色や模様などを選択して使用することができる替芯ケースを提供することである。【解決手段】少なくとも表壁面、裏壁面及び底壁面を有し、内部に替芯を収納可能なケース本体と、前記ケース本体の先端部に設けた替芯取出口を開閉する蓋体を具備し、前記ケース本体に、ケースカバーを着脱自在に装着してなるシャープペンシル用の替芯ケースであって、前記ケースカバーが、少なくとも前記ケース本体の底壁面の表面側に位置し、前記底壁面を保護する底片と、前記ケース本体の表壁面又は裏壁面の表面側に位置し、前記表壁面又は裏壁面を保護する表示片と、前記底片又は表示片のどちらか一方と対向する側の一片を開口し、前記ケース本体を挿入可能及び取り外し可能な開口部とを有することを特徴とする。【選択図】          図１
2014042992.tif 000002
【特許請求の範囲】
【請求項１】
少なくとも表壁面、裏壁面及び底壁面を有し、内部に替芯を収納可能なケース本体と、前記ケース本体の先端部に設けた替芯取出口を開閉する蓋体を具備し、前記ケース本体に、ケースカバーを着脱自在に装着してなるシャープペンシル用の替芯ケースであって、前記ケースカバーが、少なくとも前記ケース本体の底壁面の表面側に位置し、前記底壁面を保護する底片と、前記ケース本体の表壁面又は裏壁面の表面側に位置し、前記表壁面又は裏壁面を保護する表示片と、前記底片又は表示片のどちらか一方と対向する側の一片を開口し、前記ケース本体を挿入可能及び取り外し可能な開口部とを有することを特徴とする替芯ケース。
【請求項２】
前記表示片が、表面に段差のない平面形状又は円弧形状としたことを特徴とする請求項１に記載の替芯ケース。
【請求項３】
前記表示片の表面の面積が、前記ケース本体の表壁面又は裏壁面の表面の面積よりも大きいことを特徴とする請求項１または２に記載の替芯ケース。
【請求項４】
前記ケースカバーを装着した替芯ケースの重心位置が、長手方向において前記替芯ケース全長の中間よりも後方側に位置することを特徴とする請求項１ないし３の何れか１項に記載の替芯ケース。
【請求項５】
前記ケースカバーが、前記蓋体が替芯取出口を開閉自在に装着してあることを特徴とする請求項１ないし４の何れか１項に記載の替芯ケース。
【請求項６】
前記ケース本体の外面に係合部を設け、前記表示片又は底片の内面に被係合部を設けるとともに、前記係合部と被係合部が、前記開口部からケース本体を挿入する方向及び取り外し方向で、着脱自在に係合してあることを特徴とする請求項１ないし５の何れか１項に記載の替芯ケース。
【請求項７】
前記底片が、前記表示片にのみ連設してあり、前記底片が、前記表示片との連設部を支点に弾性変形し、後方に拡開可能としたことを特徴とする請求項１ないし６の何れか１項に記載の替芯ケース。
【請求項８】
前記ケース本体の表壁面又は裏壁面の表面と前記ケースカバーの表示片の内面との少なくとも一部に、前記ケース本体の表壁面又は裏壁面の表面と前記ケースカバーの表示片の内面とが離間した非接触部を有することを特徴とする請求項１ないし７の何れか１項に記載の替芯ケース。
【発明の詳細な説明】
【技術分野】
【０００１】
本発明はシャープペンシル用の芯を収容する替芯ケースに関し、より詳細には、前替芯ケースのケース本体にケースカバーを着脱自在に装着した替芯ケースに関する。
【背景技術】
【０００２】
従来から、替芯ケースは、内部に収容した替芯の残量を知るため、外部から内部を視認可能とすることが求められている。しかし、替芯は自己摩耗性体であるため、移動等によってケース内部で替芯が移動すると、芯粉が発生し、見栄えを低下する問題があった。また、替芯の種類によっても異なるが、用いる色材等、含有する成分によっては耐光性において変色等の不具合が発生する恐れがあった。こうした問題を解決するため、実開平７−２７８８２号「替芯収納ケース」では、ケース本体の裏壁面が有する透明性を表壁面の有する透明性よりも高いものとすることが開示されている。
【０００３】
また、特開２００６−４３９７３号「替芯ケース」では、ケース本体の内部に収容した替芯ケースの破損を防止するために、ケース本体に軟質部材をインサート成形等により取り付けた構造が開示されている。
【先行技術文献】
【特許文献】
【０００４】
【特許文献１】「実開平７−２７８８２号公報」
【特許文献２】「特開２００６−４３９７３号公報」
【発明の概要】
【発明が解決しようとする課題】
【０００５】
しかし、特許文献１では、表裏面の透明性を相違するために、ケース本体を２部品構成とすること、ケース本体に表面に印刷を施すことが開示されているが、移動時等の衝撃によって、ケース本体に損傷する恐れがあり、印刷が剥がれしまうと、透明性に差が生じない、或いは見栄えが悪化するため、ケース本体と印刷との剥離強度など、新たな課題が発生する問題があった。
【０００６】
ところで、近年、使用者の好みに応じて軸色、グリップ色、香料等を適宜選択して使用することができる筆記具が数多く提案されている。しかし、替芯ケースにおいては、芯径の相違によって色を変化する程度であって、使用者が選択して使用することができる替芯ケースが切望されている。
【０００７】
また、リサイクル等の環境問題にも注目が高く、廃棄したときの分別、或いは回収した材料を再利用することが望まれている。合成樹脂製の替芯ケースにおいても同様に、資源有効利用促進法に基づく指定表示製品とするため、使用する樹脂をケース本体に表示することが必要となっている。
【０００８】
本発明の目的は、上述した従来の問題点等に鑑み、ケース本体の損傷を防止するとともに、使用者の好みに合った色や模様などを選択して使用することができる替芯ケースを提供することである。
【課題を解決するための手段】
【０００９】
本発明は、少なくとも表壁面、裏壁面及び底壁面を有し、内部に替芯を収納可能なケース本体と、前記ケース本体の先端部に設けた替芯取出口を開閉する蓋体を具備し、前記ケース本体に、ケースカバーを着脱自在に装着してなるシャープペンシル用の替芯ケースであって、前記ケースカバーが、少なくとも前記ケース本体の底壁面の表面側に位置し、前記底壁面を保護する底片と、前記ケース本体の表壁面又は裏壁面の表面側に位置し、前記表壁面又は裏壁面を保護する表示片と、前記底片又は表示片のどちらか一方と対向する側の一片を開口し、前記ケース本体を挿入可能及び取り外し可能な開口部とを有することを特徴とする。
尚、本発明において「先」とは、鉛芯ケースの長手方向において蓋体側を示し、「後」とは、底壁面側を示す。
【００１０】
また、前記表示片が、表面に段差のない平面形状又は円弧形状としたことを特徴とする。
【００１１】
また、前記表示片の表面の面積が、前記ケース本体の表壁面又は裏壁面の表面の面積よりも大きいことを特徴とする。
【００１２】
また、前記ケースカバーが、前記蓋体が替芯取出口を開閉自在に装着してあることを特徴とする。
【００１３】
さらにまた、前記ケースカバーを装着した替芯ケースの重心位置が、長手方向において前記替芯ケース全長の中間よりも底片側に位置することを特徴とする。
【００１４】
さらにまた、前記ケース本体の外面に係合部を設け、前記表示片又は底片の内面に被係合部を設けるとともに、前記係合部と被係合部が、前記開口部からケース本体を挿入する方向及び取り外し方向で、着脱自在に係合してあることを特徴とする。
【００１５】
さらにまた、前記底片が、前記表示片にのみ連設してあり、前記底片が、前記表示片との連設部を支点に弾性変形し、後方に拡開可能としたことを特徴とする。
【００１６】
前記ケース本体の表壁面又は裏壁面の表面と前記ケースカバーの表示片の内面との少なくとも一部に、前記ケース本体の表壁面又は裏壁面の表面と前記ケースカバーの表示片の内面とが離間した非接触部を有することを特徴とする。
【００１７】
本願発明の第１の構成によれば、前記ケースカバーが、少なくとも前記ケース本体の底壁面の表面に位置する底片と、前記ケース本体の表壁面又は裏壁面の表面に位置する表示片と、前記底片及び／又は表示片と対向する側の一片を開口した開口部と有し、前記ケース本体を前記開口部から挿入可能及び取り外し可能することにより、ケース本体の損傷を抑制し、且つ予め開口した開口部からケース本体を挿入可能及び取り外し可能としてあるので、ケースカバーのみを容易に交換することができ、使用者の好みにあったケースカバーを選択して使用することができる。
【００１８】
尚、本発明のケース本体には、ＰＣ樹脂、ＰＥＴ樹脂、ＰＥ樹脂、ＡＢＳ樹脂、ＡＳ樹脂、ＰＰ樹脂等の樹脂材料、ステンレス、銅合金、アルミニウム等の金属材料を使用することができ、製造コストや重量を考慮して樹脂製とすることが好ましく、樹脂の中でも耐久性等を考慮してＰＣ樹脂、ＡＳ樹脂等が好ましい。さらに、ケースカバーには、ＰＣ樹脂、ＰＥＴ樹脂、ＰＥ樹脂、ＡＢＳ樹脂、ＡＳ樹脂、ナイロン等の硬質の樹脂材料、シリコーンゴムやオレフィン系エラストマー、スチレン系エラストマー等の軟質の樹脂材料、ステンレス、銅合金、アルミニウム等の金属材料を使用することができ、耐衝撃性を考慮して前述したケース本体に用いた材料よりも低硬度の硬質の樹脂材料や軟質の樹脂材料とすることが好ましく、印刷性やフィルム転写等を考慮してＡＢＳ樹脂、ＰＰ樹脂等が好ましい。
【００１９】
本願発明の第２の構成によれば、前記表示片が、表面に段差のない平面形状又は円弧形状とすることにより、表示片に、フィルム転写や印刷を容易に行うことができる効果を奏する。
【００２０】
尚、前記したケースカバーの表示片は、段差のない平面形状又は円弧形状としているが、段差のない平面形状又は円弧形状とは、大きな凹凸、例えば０．１ｍｍ以上の凹凸等がないことを示すものであって、必ずしも鏡面である必要はない。尚、フィルム転写や印刷性を考慮すると平面形状とすることが好ましい。
【００２１】
ところで、替芯ケースを机上から落下する現象を検証すると、替芯ケースを握った手が滑り、落下させてしまうこともあるが、その多くが、机上に置いていた替芯ケースに、手や肘、本やノート等が当たって落下させてしまうものである。そのため、前記表示片の表面が、凹凸のない平面状とすることで、机上との接触面積が増加し、表示片を下側にして机上等に置いても安定した状態を維持しやすく、落下し難くすることができる効果も奏する。
【００２２】
本願発明の第３の構成によれば、前記表示片の表面の面積が、前記ケース本体の表壁面又は裏壁面の表面の面積よりも大きくすることで、落下時にケース本体への衝撃や損傷を緩和し易く、所望の文字や模様等、デザインの幅が拡がり、文字を大きくすることができ、名入れ等に好適に用いることができる。
【００２３】
本願発明の第４の構成によれば、前記ケースカバーが、前記蓋体が替芯取出口を開閉自在に装着することで、替芯の取り出し操作を支障なく実施することができる。
【００２４】
本願発明の第５の構成によれば、前記ケースカバーを装着した替芯ケースの重心位置が、長手方向において前記替芯ケース全長の中間よりも底片側に位置することにより、机上から誤って落下した時に、ケースカバーの底片側から落下しやすく、ケース本体及び蓋体の損傷を抑制することができる効果を奏する。また、ケースカバーを装着した替芯ケースを、机上や陳列棚等の水平面に底片を下側にして置いても安定した状態を維持しやすい効果を奏する。また、前記ケースカバーを装着した替芯ケースの重心位置が、厚さ方向において、前記替芯ケース全体厚さの中間よりも表示片側に位置することにより、机上から誤って落下した時に、ケースカバーの表示片側から落下しやすくなり、前記した長手方向の重心位置との相乗効果によって、より収容した鉛芯の破損し難くすることができる。
【００２５】
本願発明の第６の構成によれば、前記ケース本体の外面に係合部を設け、前記表示片又は底片の内面に被係合部を設けるとともに、前記係合部と被係合部が、前記開口部からケース本体を挿入する方向及び取り外し方向で、着脱自在に係合することで、持ち運び時などに、ケース本体とケースカバーが容易に外れることを抑制することができ、ケース本体の挿入方向又は取り外し方向で、着脱自在であるため、容易に係合、係脱することができる。
【００２６】
本願発明の第７の構成によれば、前記底片が、前記表示片にのみ連設してあり、前記底片が、前記表示片との連設部を支点に弾性変形し、後方に拡開可能とすることで、ケース本体とケースカバーの装着時に、底片の構造的な弾性変形によって、ケース本体の長手方向のバラツキを吸収する効果を奏する。
【００２７】
本願発明の第８の構成によれば、前記ケース本体の表壁面又は裏壁面の表面と前記ケースカバーの表示片の内面との少なくとも一部に、前記ケース本体の表壁面又は裏壁面の表面と前記ケースカバーの表示片の内面とが離間した非接触部を有することで、ケース本体に印刷、フィルム転写、シール貼付などによって付した商品名、材料名、模様などが、ケースカバーの交換によって剥がれ難くすることができる。また、前記ケースカバーの表示片に、前記ケース本体を外部から視認可能な窓部を設けることで、例えば、ケース本体に所望のシール等を貼付して、独自の替芯ケースとすることができる。
【発明の効果】
【００２８】
本発明は、上述した従来の問題点等に鑑み、ケース本体の損傷を防止するとともに、使用者の好みに合った色や模様などを選択して使用することができる替芯ケースを提供することができた。
【図面の簡単な説明】
【００２９】
【図１】実施形態における替芯ケースを示す外観斜視図である。
【図２】図１における表面側から見た図である。
【図３】図１における背面側から見た図である。
【図４】実施形態における替芯ケースの縦断面図である。
【図５】図１におけるケース本体の縦断面図である。
【図６】図５におけるケース本体の裏壁面側を見た外観図である。
【図７】図１におけるケースカバーを示す外観斜視図である。
【図８】図２におけるケースカバーを表面側から見た外観図である。
【発明を実施するための形態】
【００３０】
以下、図面を参照して本発明の実施の形態を説明する。尚、図面中同じ部材、同じ部品については同じ番号を付してある。
【００３１】
図１から図８に示す第１の実施形態の替芯ケース１は、ケース本体２は着色透明な合成樹脂製からなり、表壁面２Ａ、裏壁面２Ｂ、側壁面２Ｃ、底壁面２Ｄを有し、先端が開口した箱型に形成されている。また、ケース本体２には、先端部の側壁内面に取付凹部が形成され、この取付凹部に蓋固定部材３を挿入し、蓋固定部材３の突起をケース本体２の係合孔２Ｅに嵌合して装着してある。尚、ケース本体２の先端部は、側壁が切り欠かれて表壁面２Ａと裏壁面２Ｂの先端部が適宜弾性変形可能に構成され、このケース本体２の裏壁面２の先端部に係合孔２Ｅが形成されている。
【００３２】
また、蓋固定部材３には、蓋体４を回動自在に嵌合してある。具体的には、蓋体４の回転軸を蓋固定部材３の取付穴に嵌合し、この嵌合部Ｒによって、蓋体４が、蓋固定部材３に対しての回動自在としてあり、蓋固定部材３に形成した突部に、蓋体４を嵌脱自在に嵌合してある。尚、蓋固定部材３に形成した突部に、蓋体４を嵌合した状態（蓋体を閉鎖）で、蓋固定部材３の替芯出口が閉鎖し、蓋固定部材３に形成した突部から蓋体４を回動して嵌合を外した状態（蓋体を開口）で、蓋固定部材３の替芯出口が開口して替芯（図示せず）を取り出し可能とすることができる。
【００３３】
また、ケース本体２には、不透明な白色の合成樹脂製からなるケースカバー５を着脱自在に装着してある。具体的には、ケースカバー５は、ケース本体２の裏壁面２Ｂの表面に位置する表示片５Ａと、ケース本体２の底壁面２Ｄの表面に位置する底片５Ｂと、ケース本体２の側壁面２Ｃの表面に位置する側片５Ｃとを設け、表示片５Ａと対向する表面側を開口した開口部Ｋ１と、底片５Ｂと対向する先端部側を開口した開口部Ｋ２とを設けてある。
【００３４】
また、ケースカバー５の両側片５Ｃには、内方に向かって突出した突部５ＣＡを設けてある。ケースカバー５の側片５Ｃの突部５ＣＡ間距離Ｐは、ケース本体２の幅Ｑよりも小さく、且つ突部５ＣＡの一部がケース本体２の表壁面２Ａに位置するように設けてある。また、底片５Ｂに設けた突部５ＢＡも同様に、突部５ＢＡの一部が底壁面５Ｄの表面側に位置するように設けてある。
【００３５】
更に、ケースカバー５の表示片５Ａの先端部には、切り欠き部５Ｅを設けてあり、蓋体４の一部を外部に露出してある。そのため、ケースカバー５をケース本体２に取り付けた状態で、蓋体４を回動して替芯の取り出することができる。
【００３６】
表示片５Ａは、表面に段差のない平面形状としてあり、表示片５Ａの表面の面積は、ケース本体の裏壁面２Ｂの表面の面積よりも大きくしてある。また、表示片５Ａの表面には、予め、文字と模様の印刷（図示せず）が施してある。
【００３７】
また、底片５Ｂは、表示片５Ａにのみ連設してあるため、底片５Ｂが、前記表示片５Ａとの連設部を支点に後方に拡開する弾性変形し、ケース本体２にケースカバー５を装着した時、ケース本体２の長手方向のバラツキを吸収することができる。
【００３８】
ケースカバー５を装着した、鉛芯収容前の替芯ケース１の重心位置Ｇは、長手方向において替芯ケースＧの全長Ｌの中間（１／２）よりも後方側（ケースカバーの底片５Ｂから重心Ｇまでの距離Ｍ＜１／２Ｌ）、替芯ケース１の全体厚さ方向の中間（１／２）よりも表示片５Ａ側に位置している。また、底片５Ｂは、表面に段差のない平面形状としてあり、机上や陳列棚等の水平面に底片５Ｂの表面を下側にして置いても安定した状態を維持しやすくしてある。また、前記ケースカバー５を装着した替芯ケース１の重心位置Ｇが、厚さ方向において、前記替芯ケース１全体の厚さ方向の中間よりも表示片５Ａ側に位置することにより、机上から誤って落下した時に、ケースカバーの表示片５Ａ側から落下しやすくなり、前記した長手方向の重心位置との相乗効果によって、落下時に、収容した鉛芯の破損を抑制することができる。
【００３９】
ケース本体２にケースカバー５を装着するには、ケースカバー５に設けた先端部側の開口部Ｋ２へ、ケース本体２の底壁面２Ｄ側から挿入し、ケース本体２の底壁面２Ｄが、ケースカバー５の底片５Ｂの内面に当接するまで挿入することで、両側片５Ｃがケース本体２を挟持して装着することができる。このとき、ケース本体２に設けた係合孔（係合部）２Ｅと、表示片５Ａの内面に設けた、端部を略半球状とした突起（被係合部）５Ｄとが、着脱自在に係合することで、移動時の振動やケース本体２の自重等、ケースカバー５の開口部Ｋ２からケース本体２が不用意に外れることを抑制してある。
【００４０】
また、ケースカバー５の側片５Ｃの突部５ＣＡ及び底片５Ｂの突部５ＢＡが、ケース本体２の表壁面２Ａ側に位置するように設けてあるため、ケース本体２がケースカバー５の表面側の開口部Ｋ１から抜け出ることを抑制してある。尚、ケースカバー５をケース本体２に装着した状態で、蓋体４の回動操作可能とするため、表示片５Ａに切欠部５Ｅを設け、蓋体５の操作部が外部に突出するようにしてある。
【００４１】
本実施の形態では、ケースカバー５に設けた表面側の開口部Ｋ１からもケース本体２を装着可能である。ケースカバー５に設けた表面側の開口部Ｋ１からケース本体２を装着には、ケースカバー５に設けた表面側の開口部Ｋ１へケース本体２の裏壁面２Ｂ側から挿入し、ケース本体２の裏壁面２Ｂが、ケースカバー５の表示片５Ａの内面に当接するまで挿入することで装着することができる。このとき、ケースカバー５の側片５Ｃの突部５ＣＡ間距離Ｐは、ケース本体２の幅Ｑよりも小さくしてあるが、ケースカバーに設けた側片５Ｃは、表示片５Ａに弾性変形可能に連設してあるため、ケース本体２の装着時に、側片５Ｃは外側に広がり、ケース本体２を挿入可能であり、弾性変形によって元に戻ることで、両側片５Ｃがケース本体２を挟持し、突部５ＣＡの一部がケース本体２の表壁面２Ａに位置し、ケースカバー５に設けた表面側の開口部Ｋ１から抜け出しを抑制して、ケース本体２にケースカバー５を装着することができる。また、ケースカバー５に設けた表面側の開口部Ｋ１へケース本体２の背壁面２Ｂ側から挿入した時、ケースカバー５の側片５Ｃ間にケース本体が位置し易いように、突部５ＣＡは外方に向かって広がる断面半円状としてある。
【００４２】
ケース本体２からケースカバー５を取り外すには、ケースカバー５に設けた先端部側の開口部Ｋ２からケース本体２を取り出すことができる。このとき、ケースカバー５に設けた表面側の開口部Ｋ１によって、ケース本体２の表壁面２Ａが外部に露出しているため、ケース本体２の表壁面２Ａを指でスライドすることによって、容易に取り外しすることができる。また、ケースカバー５から突出した蓋体４を表示片５Ａの表面側から開口部Ｋ１側に持ち上げることで、ケースカバー５に設けた表面側の開口部Ｋ１からも容易にケース本体２を取り外し可能である。
【００４３】
また、ケースカバー５の表示片５Ａの内面とケース本体２の裏壁面２Ｂの表面との間に隙間を有する非接触部５Ｆを設けてある。尚、非接触部５Ｆは、表示片５Ａの内面の中央部に凹部を設けることで、ケース本体２の裏壁面２Ｂの表面と、ケースカバー５の表示片５Ａの内面との間に、長手方向に渡って非接触部５Ｆを設けてあり、この非接触部５Ｆでは、ケース本体２の裏壁面２Ｂの表面とケースカバー５の表示片５Ａの内面は接触しない。また、ケースカバー５の表示片５Ａの表面には、予め印刷した部分と非印刷部によって設けた窓部（図示せず）を設けてあり、ケース本体２の裏壁面２Ｂを、ケースカバー５の表示片５Ａを介し、外部から視認可能としてある。
【００４４】
表示片に施す表示は、印刷に限るものではなく、シールや鏡を貼着してあってもよい。また、表示部の内容も商品名、企業名、イラスト、氏名など文字、記号若しくは図形又はこれらの組み合わせや、単色又は複数色の色付け等、特に限定されるものではない。
【００４５】
ケースカバーは、透明、不透明のどちらであってもよいが、表示片に印刷等を行わない又はフォルム転写等の内部視認性を有する表示を行うことで、内部を視認する窓部を設けることができるので、透明とすることが好ましい。また、ケース本体の少なくとも表壁面及び裏壁面が、光を透過し、収納した替芯を外部から視認可能とするとともに、表示面の光透過度が、前記ケース本体の背面の光透過度よりも小さく又は光不透過とすることで、光によるケース本体内の鉛芯の劣化を抑制することができる。さらに、ケース本体の裏壁面の光透過度を表壁面の光透過度よりも大きくすることで、ケースカバーを装着して光によるケース本体内の鉛芯の劣化を抑制し、ケースカバーを取り外すことで、残芯を容易に視認できるため好ましい。
【００４６】
また、本実施形態では、ケースカバーの表示片を表面に段差のない平面形状とし、印刷性を高めているが、表示片を断面円弧形状としてレンズ効果を得ることで、内部の視認性を高め、取り外して拡大鏡として使用することも可能である。
【００４７】
ケースカバーに設けた開口部も先端側及び表面側に限るものではなく、先端部、表面側、側面側の何れかに１箇所に設けてあればよい。但し、先端部、表面側、側面側の何れか２箇所に開口部を有することで、ケースカバーの着脱性が高まるので好ましい。
【００４８】
尚、本実施形態では、便宜上、ケース本体の形状を四角形の箱形形状としてあるが、円形の箱形形状や楕円形の箱形形状等、特に限定されるものではない。また。ケース本体の底壁面は、他の壁面と一体に設けてもよいし、尾栓等を装着し、別体にて設けてあってもよい。
【００４９】
蓋体の構造も特に限定されるものではなく、ケース本体に着脱自在に蓋体を嵌合してあってもよいが、本実施形態のように、蓋体を回動自在とすることで、表示片の先端をケース本体及び蓋体の先端まで延設し、落下時にケース本体及び蓋体の先端を衝突し難くすることが好ましい。
【００５０】
また、本実施形態では、便宜上、ケース本体に設けた係合孔（係合部）と、表示片の内面に設けた、端部を略半球状とした突起（被係合部）とが、着脱自在に係合することで、移動時の振動やケース本体の自重等、ケースカバーの開口部からケース本体が不用意に外れることを抑制してあるが、ケース本体とケースカバーを圧入係合や乗り越し係合によって不用意に外れることを抑制してあってもよい。
【産業上の利用可能性】
【００５１】
本発明の替芯ケースは、ケース本体に収容する芯径、芯色などの種類に限定されるものでなく、替芯ケースとして広く利用可能である。
【符号の説明】
【００５２】
１  替芯ケース
２  ケース本体
２Ａ  表壁面
２Ｂ  裏壁面
２Ｃ  側壁面
２Ｄ  底壁面
２Ｅ  係合孔（係合部）
３  蓋固定部材
４  蓋体
５  ケースカバー
５Ａ  表示片
５Ｂ  底片
５ＢＡ  突部
５Ｃ  側片
５ＣＡ  突部
５Ｄ  突起（被係合部）
５Ｅ  切り欠き部
５Ｆ  非接触部
Ｋ１、Ｋ２  開口部
Ｌ  鉛芯ケースの全長
Ｍ  ケースカバーの底片から重心までの距離
Ｐ  突部間距離
Ｑ  ケース本体の幅
【図１】
2014042992.tif 000003
【図２】
2014042992.tif 000004
【図３】
2014042992.tif 000005
【図４】
2014042992.tif 000006
【図５】
2014042992.tif 000007
【図６】
2014042992.tif 000008
【図７】
2014042992.tif 000009
【図８】
2014042992.tif 000010